(57)【要約】  迅速に出走馬の状態を確認することができる情報を提供することができる情報提供システム、情報提供方法及び情報提供プログラムを提供する。  本願のシステム制御部１５は、出走馬が撮像された動画像データを取得し、前記取得された動画像データから前記出走馬の複数の静止画データを抽出し、ユーザ端末３−ｋが前記静止画データを取得し表示するためのリンクが設定された前記馬名を表示する出馬表を生成し、ユーザ端末３−ｋへ配信する。
2011065563.tif 000002
【特許請求の範囲】
【請求項１】
出走馬が撮像された動画像データを前記出走馬の出走馬情報に対応付けて記憶する動画像データ記憶装置と、
前記動画像データ記憶装置に記憶した動画像データから、サンプル画像の馬体姿勢に近似する前記出走馬の馬体を静止画データとして抽出する静止画データ抽出装置と、
前記出走馬情報に対応付けて、前記出走馬の前記静止画データを記憶する静止画データ記憶装置と、
前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成装置と、
前記生成されたＷｅｂページデータを前記端末装置へ配信する配信装置と、
を備えることを特徴とする馬体情報提供システム。
【請求項２】
請求項１に記載の馬体情報提供システムであって、
前記静止画データ記憶装置は、直近に抽出された静止画データと過去に抽出された静止画データとを記憶しており、
前記生成装置は、前記直近に抽出された静止画データ及び前記過去に抽出された静止画データを取得して表示するためのリンクが設定された出走馬情報を表示するＷｅｂページにおいて、一頭の馬の前記静止画データの取得が選択操作された場合に、当該馬について前記サンプル画像の馬体姿勢に近似する直近の静止画データ及び同じサンプル画像の馬体姿勢に近似する過去の静止画データを併せて表示するＷｅｂページデータを生成することを特徴とする馬体情報提供システム。
【請求項３】
請求項１に記載の馬体情報提供システムであって、
前記静止画データ記憶装置は、所定のレースに出走する複数の出走馬の静止画データを記憶しており、
前記生成装置は、前記所定のレースに出走する複数の出走馬の静止画データを取得して表示するためのリンクが設定された出走馬情報を表示するＷｅｂページにおいて、前記所定のレースに出走する複数の出走馬から２以上の馬の前記静止画データの取得が選択操作された場合に、当該２以上の馬について前記サンプル画像の馬体姿勢に近似する直近の複数の静止画データを併せて表示するＷｅｂページデータを生成することを特徴とする馬体情報提供システム。
【請求項４】
請求項１に記載の馬体情報提供システムであって、
前記静止画データ抽出装置は、
動画像を表示する表示装置と、
前記表示部に動画像データを表示している状態で一頭の馬のサンプル画像の馬体姿勢の入力を受け付けるサンプル画像取得装置と、
前記受け付けられたサンプル画像の馬体姿勢に基づいて前記動画像データから出走馬の静止画データを抽出する抽出装置と、
を備えることを特徴とする馬体情報提供システム。
【請求項５】
請求項４に記載の馬体情報提供システムであって、
前記サンプル画像取得装置が馬体姿勢の入力を受け付けた後、前記抽出装置が、一定期間経過毎にサンプル画像の馬体姿勢に近似する第２のサンプル画像の馬体姿勢を抽出することを特徴とする馬体情報提供システム。
【請求項６】
撮像された動画像データから出走馬の馬体の静止画データを抽出する馬体の静止画データの抽出方法であって、
前記動画像データから、サンプル画像の馬体姿勢に近似する前記出走馬の馬体を静止画データとして抽出する静止画データ抽出ステップと、  前記出走馬に関する出走馬情報に対応付けて、前記出走馬の前記静止画データを記憶する静止画データ記憶ステップと、
前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、
前記生成されたＷｅｂページデータを前記端末装置へ配信する配信ステップと、
を有することを特徴とする馬体の静止画データの抽出方法。
【請求項７】
撮像された動画像データから出走馬の馬体の静止画データを抽出する馬体の静止画データの抽出プログラムであって、
コンピュータに、
前記動画像データから、サンプル画像の馬体姿勢に近似する前記出走馬の馬体を静止画データとして抽出する静止画データ抽出ステップと、
前記出走馬に関する出走馬情報に対応付けて、前記出走馬の前記静止画データを記憶する静止画データ記憶ステップと、
前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、
前記生成されたＷｅｂページデータを前記端末装置へ配信する配信ステップと、
を実行させることを特徴とする馬体の静止画データの抽出プログラム。
【請求項８】
撮像された動画像データから出走馬の馬体の静止画データを抽出する馬体の静止画データの抽出プログラムであって、
コンピュータに、
前記動画像データから、サンプル画像の馬体姿勢に近似する前記出走馬の馬体を静止画データとして抽出する静止画データ抽出ステップと、
前記出走馬に関する出走馬情報に対応付けて、前記出走馬の前記静止画データを記憶する静止画データ記憶ステップと、
前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、
前記生成されたＷｅｂページデータを前記端末装置へ配信する配信ステップと、
を実行させることを特徴とする馬体の静止画データの抽出プログラムを記録したコンピュータ読み取り可能な記録媒体。
【発明の詳細な説明】
【技術分野】
【０００１】
本発明は、インターネットやイントラネット等のネットワークを介して接続された端末装置に対して、所定の情報を掲載したページ（Ｗｅｂページ）を提供する情報提供システム等の技術分野に関し、特に、レースに出場する出走馬の馬体に関する情報を掲載するページを作成して提供する技術に関する。
【背景技術】
【０００２】
競争レースの一つである競馬は、競技場において、騎手と出走馬が一定の区間をどれだけ速く駆け抜けられるかを競うレース（競技）である。そのレースを見る者は、出走馬の着順を予想して投票券を購入することがある。投票券を購入した者は、レースの結果に即した配当を得ることができる。かかる投票券を購入しようとする者は、出走馬の着順を予想するに際し、競馬場内に設置されるパドックにおいて、レース開始直前の出走馬の状態を確認することができる。【０００３】
特許文献１に記載された技術では、出走馬におけるパドックでの情報を動画像として携帯端末に送信する技術が開示されている。かかる技術によって、投票券を購入しようとする者は、実際にパドックを訪れなくとも競技直前の出走馬の状態を確認することができる。
【先行技術文献】
【特許文献】
【０００４】
【特許文献１】特開２００６−４８５７１号公報
【発明の概要】
【発明が解決しようとする課題】
【０００５】
しかしながら、上記パドックでは、レースが開始される直前の一定期間に、当該レースに出走する複数の出走馬を歩行させ、一般公衆の目前に披露するようになっている。そして、投票券を購入しようとする者は、パドックを歩行する複数の出走馬の毛艶、各部位の筋肉のつき方等を視覚で観察することにより、当該レース開始直前の複数の出走馬の状態を確認し、上記投票券の販売締め切り時間までに当該投票券を購入しなければならない。従って、投票券を購入しようとする者は、パドックにおける複数の出走馬の披露から投票券の販売締め切り時間までという短時間の間に、できるかぎり多くの出走馬の状態を確認しなければならない。【０００６】
特許文献１に記載された技術では、投票券を購入しようとする者は、パドックを歩行する出走馬の全身を視認できるまで送信される動画像を継続的に視聴しなければならず、短時間に複数の出走馬の状態を確認することが困難であった。特に、投票券の販売締め切り時間までに動画を視聴することによって総ての出走馬を確認するには時間が不足する。さらに、複数の競馬場でおおよそ同時刻に出走がある場合は、動画によって複数の出走馬の状態を確認することは実質的に不可能であった。【０００７】
本発明の目的は、迅速に複数の出走馬の状態を確認することができる情報を提供することである。本発明の他の目的は、１の出走馬の現在の馬体の状態と、この出走馬の過去の馬体の状態とを視覚で確認することができる情報を提供することである。本発明のさらに他の目的は、１の出走馬の現在の馬体の状態と、他の出走馬の現在の馬体の状態とを視覚で確認することができる情報を提供することである。本発明のさらに他の目的は、撮像した動画から、同一視できる姿勢の馬体の静止画を生成することである。
【課題を解決するための手段】
【０００８】
上記目的を達成するために、請求項１に記載の発明は、出走馬が撮像された動画像データを前記出走馬の出走馬情報に対応付けて記憶する動画像データ記憶装置と、前記動画像データ記憶装置に記憶した動画像データから、サンプル画像の馬体姿勢に近似する前記出走馬の馬体を静止画データとして抽出する静止画データ抽出装置と、前記出走馬情報に対応付けて、前記出走馬の前記静止画データを記憶する静止画データ記憶装置と、前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成装置と、前記生成されたＷｅｂページデータを前記端末装置へ配信する配信装置と、を備えることを特徴とする。【０００９】
この発明によれば、サンプル画像の馬体姿勢に近似する馬体の静止画データを抽出した後、それぞれの出走馬の静止画データが出走馬情報に対応付けて記憶している。共通する馬体姿勢で出走馬情報に対応付けられた複数の馬体の静止画データを表示するＷｅｂページが生成され、配信されるため、迅速に複数の出走馬の状態を確認したり、比較したりすることができる。【００１０】
請求項２に記載の発明は、請求項１に記載される馬体情報提供システムであって、前記静止画データ記憶装置は、直近に抽出された静止画データと過去に抽出された静止画データとを記憶しており、前記生成装置は、前記直近に抽出された静止画データ及び前記過去に抽出された静止画データを取得して表示するためのリンクが設定された出走馬情報を表示するＷｅｂページにおいて、一頭の馬の前記静止画データの取得が選択操作された場合に、当該馬について前記サンプル画像の馬体姿勢に近似する直近の静止画データ及び同じサンプル画像の馬体姿勢に近似する過去の静止画データを併せて表示するＷｅｂページデータを生成することを特徴とする。【００１１】
この発明によれば、出走馬情報に対応付けられた一頭の馬の現在の静止画データ及び当該一頭の馬の過去の静止画データを表示するＷｅｂページが生成され、配信されるため、現在及び過去の出走馬の状態をサンプル画像の馬体姿勢に近似する馬体姿勢で確認したり、比較したりすることができる。【００１２】
請求項３に記載の発明は、請求項１に記載される馬体情報提供システムであって、前記静止画データ記憶装置は、所定のレースに出走する複数の出走馬の静止画データを記憶しており、前記生成装置は、前記所定のレースに出走する複数の出走馬の静止画データを取得して表示するためのリンクが設定された出走馬情報を表示するＷｅｂページにおいて、前記所定のレースに出走する複数の出走馬から２以上の馬の前記静止画データの取得が選択操作された場合に、当該２以上の馬について前記サンプル画像の馬体姿勢に近似する直近の複数の静止画データを併せて表示するＷｅｂページデータを生成することを特徴とする。【００１３】
この発明によれば、所定のレースに出走する複数の出走馬の静止画データを表示するＷｅｂページが生成され、配信されるため、サンプル画像の馬体姿勢に近似する馬体姿勢で、迅速に複数の出走馬の状態を確認したり、比較したりすることができる。【００１４】
請求項４に記載の発明は、請求項１に記載の情報提供システムであって、前記静止画データ抽出装置は、動画像を表示する表示装置と、前記表示部に動画像データを表示している状態で一頭の馬のサンプル画像の馬体姿勢の入力を受け付けるサンプル画像取得装置と、前記受け付けられたサンプル画像の馬体姿勢に基づいて前記動画像データから出走馬の静止画データを抽出する抽出装置と、を備えることを特徴とする。【００１５】
この発明によれば、サンプル画像の入力を受け付けて、近似する馬体姿勢に基づいて前記動画像データから静止画データを抽出するため、近似する馬体姿勢で出走馬の状態を確認したり、比較したりすることができる。【００１６】
請求項５に記載の発明は、請求項４に記載の情報提供システムであって、前記サンプル画像取得装置が馬体姿勢の入力を受け付けた後、前記抽出装置が、一定期間経過毎にサンプル画像の馬体姿勢に近似する第２のサンプル画像の馬体姿勢を抽出することを特徴とする。【００１７】
この発明によれば、静止画抽出開始装置がサンプル画像の入力を受け付けた後、前記抽出手段が、一定期間経過毎にサンプル画像を取得するため、それぞれのサンプル画像を取得した後、それぞれのサンプル画像に近似する馬体の静止画データを抽出することができる。【００１８】
請求項６に記載の発明は、撮像された動画像データから出走馬の馬体の静止画データを抽出する馬体の静止画データの抽出方法であって、前記動画像データから、サンプル画像の馬体姿勢に近似する前記出走馬の馬体を静止画データとして抽出する静止画データ抽出ステップと、前記出走馬に関する出走馬情報に対応付けて、前記出走馬の前記静止画データを記憶する静止画データ記憶ステップと、前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、前記生成されたＷｅｂページデータを前記端末装置へ配信する配信ステップと、を有することを特徴とする。【００１９】
請求項７に記載の発明は、撮像された動画像データから出走馬の馬体の静止画データを抽出する馬体の静止画データの抽出プログラムであって、前記動画像データから、サンプル画像の馬体姿勢に近似する前記出走馬の馬体を静止画データとして抽出する静止画データ抽出ステップと、前記出走馬に関する出走馬情報に対応付けて、前記出走馬の前記静止画データを記憶する静止画データ記憶ステップと、前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、前記生成されたＷｅｂページデータを前記端末装置へ配信する配信ステップと、コンピュータに実行させることを特徴とする。
【発明の効果】
【００２０】
本発明によれば、サンプル画像の馬体姿勢に近似する馬体の静止画データを抽出した後、それぞれの出走馬の静止画データが出走馬情報に対応付けて記憶しているので、共通する馬体姿勢で出走馬情報に対応付けられた馬体の静止画データを表示するＷｅｂページデータが配信されるため、静止画データを表示する表示画面を閲覧するユーザは、共通する馬体姿勢で出走馬の全身の状態を、パドック歩行開始から発券終了までの短時間の間に一見して即座に把握することができる。
【図面の簡単な説明】
【００２１】
【図１】本実施形態に係る情報提供システムの概要構成の一例を示す図である。
【図２】本実施形態に係る情報提供サーバ１の概要構成の一例を示すブロック図である。
【図３】記憶部１４に構築される動画像ＤＢ１４１、静止画ＤＢ１４２、及び出走馬情報ＤＢ１４３に記憶される情報を示すテーブルである。
【図４】動画像データから静止画データを抽出する処理の一例を示す図である。
【図５】管理端末２の概要構成例を示すブロック図である。
【図６】ユーザ端末３−ｋの概要構成例を示すブロック図である。
【図７】本実施形態におけるユーザ端末３−ｋのリクエストに応じた情報提供システムの動作を示すシーケンス図である。
【図８】表示部３２のディスプレイ上に表れる出馬表を示す図である。
【図９】取得した○○テイオー５２に対応付けられた複数の静止画データを表示するＷｅｂページが、表示部３２のディスプレイ上に表れたウインドウ画面内に表示された画面例を示す図である。
【図１０】上記直近に抽出された複数の静止画データ及び上記過去に抽出された複数の静止画データを表示するＷｅｂページを取得し表示部３２のディスプレイ上に表れたウインドウ画面内に表示された画面例を示す図である。
【図１１】複数の馬名を選択可能とするチェックボックスとボタンを表示する出馬表が表示された画面例である。
【図１２】選択されたそれぞれの馬名に対応付けられた前記複数の静止画データを表示するＷｅｂページが表示された画面例を示す図である。
【発明を実施するための形態】
【００２２】
以下、図面を参照して本発明の実施形態について説明する。
先ず、本発明の一実施形態に係る情報提供システム（馬体情報提供システムの一例）の構成及び概要機能について、図１を用いて説明する。図１は、本実施形態に係る情報提供システムの概要構成の一例を示す図である。
【００２３】
図１に示すように、情報提供システムは、馬体の情報提供サーバ１（動画像データ記憶装置、静止画データ抽出装置、静止画データ記憶装置、生成装置、配信装置の一例）を有する。情報提供サーバ１は、複数の競馬場Ａ〜Ｚの管理端末２とネットワークＮＷを介して接続されている。情報提供サーバ１と、管理端末２とは、例えば、通信プロトコルにＴＣＰ／ＩＰ等を用いて相互にデータの送受信が可能になっている。競馬場Ａ〜Ｚには、管理端末２と、パドック内に設置されるカメラ２Ａと、競馬場Ａの来場者用の利用端末２−１〜２−３が設置されている。カメラ２Ａ及び利用端末２−１〜２−３は、それぞれ管理端末２に有線又は無線により接続されている。競馬場Ｂ〜Ｚは競馬場Ａと同じ構成であるが、利用端末２−１〜２−３が配備されていない場合もある。カメラ２Ａは、パドック内を歩行する出走場の動画を撮像する。撮像した動画は、管理端末２に動画像データとして送信される。送信された動画像データは、ネットワークＮＷを介して情報提供サーバ１に送信される。
【００２４】
また、情報提供サーバ１と、複数のユーザ端末３−ｋ（ｋ＝１、２〜ｎ）（端末装置の一例）とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。なお、情報提供サーバ１と利用端末２−１〜２−３とは、管理端末２を介することなく、ネットワークＮＷを介して、例えば、通信プロトコルにＴＣＰ／ＩＰ等を用いて相互にデータの送受信が可能になっている場合もある。
【００２５】
このような構成の情報提供システムにおいて、情報提供サーバ１は、例えば、レース（競馬）に出走する出走馬に関する情報等を提供する情報提供サイトを運営するために設置されたＷｅｂサーバとして機能する。この情報提供サーバ１は、利用端末２−１〜２−３、及びユーザ端末３−ｋからのＨＴＴＰ（Hyper Text Transfer Protocol）リクエストに応じてＷｅｂページデータを利用端末２−１〜２−３及びユーザ端末３−ｋに配信する。利用端末やユーザ端末は、Ｗｅｂブラウザにより、例えば、受信されたＷｅｂページデータをディスプレイに表示する。こうして表示されたＷｅｂページには、例えば、レースに出走する出走馬の枠番、馬番、馬名、性齢、毛色、馬体重、騎手名、馬主等が一覧表示された出馬表（以下、単に「出馬表」とする。）等（出走馬に関する出走馬情報の一例）が表示される。
【００２６】
更に、本実施形態における上記Ｗｅｂページデータには、レースに出走する出走馬の静止画データを表示するＷｅｂページデータを取得し、表示するためのリンクが設定されている。静止画データを表示するＷｅｂページデータは、情報提供サーバ１から送信される。Ｗｅｂページデータは、現在又は過去の動画像データから抽出された静止画データを表示するＷｅｂページデータの１つである。利用端末２−１〜２−３及びユーザ端末３−ｋは、ユーザの所定の操作（例えば、上記リンクをマウスによって選択）によって情報提供サーバ１から静止画データを取得すると、Ｗｅｂブラウザにより、取得したＷｅｂページをディスプレイに表示する。
【００２７】
図２は、本実施形態に係る情報提供サーバ１の概要構成の一例を示すブロック図である。図２に示すように、情報提供サーバ１は、通信部１１と、表示部１２と、操作部１３と記憶部１４と、入出力インターフェース部１７と、システム制御部１５（表示装置、サンプル画像取得装置、及び抽出装置の一例）と、を備えている。そして、システム制御部１５と入出力インターフェース部１７とは、システムバス１６を介して接続されている。通信部１１は、ネットワークＮＷに接続して、管理端末２及びユーザ端末３−ｋとの通信状態を制御する。また、本実施形態では、通信部１１は、ネットワークＮＷに接続して、上述した管理端末２から送信される動画像データを取得するためのインターフェースとして機能するようになっている。具体的には、公知のＶＯＤ（Video on Demand）又は、ＩＰマルチキャスト放送技術が適用され、例えば、情報提供サーバ１等のリクエストを受けた管理端末２は、リクエストにかかる動画像データを、情報提供サーバ１へ送信する。そして、情報提供サーバ１は、通信部１１を介して当該動画像データを受信する。表示部１２は、取得した動画像データ等を表示するためのディスプレイを備える。操作部１３は、例えば、キーボード及びマウス等を備える。記憶部１４は、例えば、ハードディスクドライブ等により構成されており、オペレーティングシステム及び静止画データの抽出プログラム等の各種プログラムを記憶する。なお、本発明の静止画データの抽出プログラムは、例えば、所定のサーバ等からネットワークＮＷを介して取得（ダウンロード）されるようにしても良いし、ＣＤ（Compact Disc）、ＤＶＤ（Digital Versatile Disc）等の記録媒体（プログラムがコンピュータにより読み取り可能に記録された記録媒体）に記録されてドライブを介して読み込まれるようにしても良い。また、記憶部１４には、動画像ＤＢ１４１、静止画ＤＢ１４２、及び出走馬情報ＤＢ１４３が構築されている。これらのデータベースは、データベースを管理するデータベースサーバに構築されるようにしてもよい。この場合、情報提供サーバ１は、上記データベースサーバ、その他のサーバから構成されるサーバ群として構成するようにしてもよい。
【００２８】
ここで、記憶部１４に構築される動画像ＤＢ１４１、静止画ＤＢ１４２、及び出走馬情報ＤＢ１４３について、図３と対応付けて説明する。図３は、記憶部１４に構築される動画像ＤＢ１４１、静止画ＤＢ１４２、及び出走馬情報ＤＢ１４３に記憶される情報を示すテーブルである。動画像ＤＢ１４１には、各競馬場のカメラ２Ａで撮像された動画像データが記憶（記録）されており（図３（Ａ））、かかる動画像データは、例えば、ＷＭＶ（Windows Media Video）、ＭＰ４（MPEG Audio Layer-４）等のフォーマットに変換され記録される。それぞれの動画像データは、レース毎にファイル番号を介して図３（Ｃ）に示す出走馬情報に対応付けて記憶されている。出走馬情報には、図３（Ｃ）に示すように、レースＩＤ、競馬場ＩＤ、日付け等の情報が含まれる。
【００２９】
静止画ＤＢ１４２には、詳しくは後述するが、撮像されて動画像ＤＢ１４１に記憶された動画像データから抽出された複数の出走馬の静止画データが記憶されている（図３（Ｂ））。また、静止画ＤＢ１４２には、直近に抽出された静止画データと、過去に抽出された静止画データとが記憶されている。それぞれの静止画データは、ファイル番号を介して図３（Ｃ）の出走馬情報に対応付けて記憶されている。
【００３０】
静止画データは、動画像データに表示される出走馬を、例えば公知のキャプチャ（Capture）技術を適用することにより、ＪＰＥＧ（Joint Photographic Experts Group）等の静止画ファイルとして取り込まれる。キャプチャ技術は例えば、情報提供サーバ１に備えられる図示しないキャプチャデバイス（例えば、キャプチャ機能を備えた拡張カード等）や、情報提供サーバ１にインストールされたキャプチャ機能を備えたキャプチャソフトウェア等によって実現される。
【００３１】
ここで、図４を参照して、動画像データから静止画データを生成する例を説明する。動画像ＤＢ１４１に記憶された動画像データＤ１０は、フレームＤ１０−１〜フレームＤ１０−Ｎより構成されている。情報提供サーバ１の記憶部１４には、サンプル画像Ｓ１〜ＳＮが記憶されている。まず、システム制御部１５は、サンプル画像をモザイク画像に変換する。例えば、システム制御部１５は、２４０ピクセル×２４０ピクセルのサンプル画像Ｓ１を１６×１６のモザイク画像に変換して、２５６画素を得る。サンプル画像に近似する領域を特定するには、解像度を落としても可能である。次に、システム制御部１５は、１つのフレームＤ１０−１においてフレームのサイズを定型サイズに変更し、モザイク画像をフレーム内で走査させる。そして、領域ごとにサンプル画像の各画素の濃度と領域の各画素の濃度の内積を算出する。濃度は、例えば、明度であったり、例えば、ＲＧＢの数値であったりするが、いずれの数値を採用してもよい。内積を算出することにより、サンプル画像と領域との類似度を判定し、１つのフレームＤ１０−１について、サンプル画像Ｓ１に最も近似する領域を仮の静止画データとして抽出する。サンプル画像と領域との相関を判定することにより、１つのフレームＤ１０−１において、サンプル画像に最も近似する領域が特定される。システム制御部１５は、同じ処理を全てのフレームＤ１０−１〜フレームＤ１０−Ｎで繰り返す。次に、システム制御部１５は、フレームごとに抽出した仮の静止画データ（１〜Ｎ個）について、再度、サンプル画像Ｓ１との類似度でランク付けし、最も近似する仮の静止画データを静止画データとして抽出する。ランク付け手法は、前述と同じように、サンプル画像と領域との相関を判定することにより行う。別のサンプル画像Ｓ２〜ＳＮについても、同様の処理を繰り返すことで、動画像データからサンプル画像に近い馬体姿勢の静止画データが抽出される。つまり、動画像データから、サンプル画像の馬体姿勢に近似する出走馬の馬体が静止画データとして抽出される。
【００３２】
静止画ＤＢ１４２には、上記処理で抽出した静止画データが、馬体ごとに出走場情報に対応付けて記憶される。出走馬情報ＤＢ１４３には、ユーザ端末３−ｋに提供する出馬表等が表示されるＷｅｂページを構成するためのＨＴＭＬ（Hyper Text Markup Language）文書ファイル、ＸＭＬ（Extensible Markup Language）文書ファイル、ＸＨＴＭＬ（Extensible HyperText Markup Language）文書ファイル、その他のプログラミング言語で記述されたファイル等が記憶されている。ここで、Ｗｅｂページ上に表示される出馬表におけるレースに出走する出走馬の枠番、馬番、馬名、性齢、毛色、馬体重、騎手名、馬主等は、一例として、ＨＴＭＬ文書中のタグ内に記述される。より具体的には、<TABLE border="1">〜</TABLE>で囲まれた出馬表の範囲に、<TR>〜</TR>で上記馬名毎に行が設定され、その中に<TD>〜</TD>で、上記枠番、馬番、性齢、毛色、馬体重、騎手名、馬主等の項目が設定される。
【００３３】
また、上記ＨＴＭＬ文章中（出走馬情報）には、上記静止画データを取得して表示するためのリンクが設定されている。そのため、例えば、ユーザ端末３−ｋに表示されたＷｅｂページにおいて、静止画データの取得が選択操作された場合、例えば出馬表の馬名が選択操作された場合に当該馬名に対応付けられた静止画データを表示するＷｅｂページデータが情報提供サーバ１により生成され、ユーザ端末３−ｋへ配信される。ここで選択操作には、例えば、ユーザのマウスの操作により、上記出馬表に表示される馬名等をクリックすることが該当するが、これに限定されるものではない。例えば、タッチパネルを備えたディスプレイ等に当該馬名等の出走馬情報が表示される場合にあっては、当該出走馬情報を指やタッチペン等で選択（押下）するものであってもよい。また、出走馬情報ＤＢ１４３には、複数の静止画データのＵＲＬ（例えば、http://www.yyy.zzz/xxx/yyy/zzz.html）と、馬名とが対応付けられて、記憶されている。そして、上記ＨＴＭＬ文章中には、例えば、出馬表に表示される馬名が選択操作されると、上記ファイルを取得し、表示するためのリンクを設定するための命令、例えば、<a href="http://www.yyy.zzz/xxx/yyy/zzz.html">馬名</a>が記述される。
【００３４】
図２の説明に戻り、入出力インターフェース部１７は、通信部１１、表示部１２、操作部１３、及び記憶部１４とシステム制御部１５との間のインターフェース処理を行うようになっている。システム制御部１５は、ＣＰＵ（Central Processing Unit）１５ａ、ＲＯＭ（Read Only Memory）１５ｂ、ＲＡＭ（Random Access Memory）１５ｃ等により構成されている。そして、システム制御部１５は、ユーザ端末３−ｋからのＨＴＴＰリクエストに応じて上述したＷｅｂページデータを生成し、利用端末２−１〜２−３及びユーザ端末３−ｋに配信する。
【００３５】
また、システム制御部１５は、例えば、オペレータからの指示に従って、上記取得された動画像データから複数の出走馬の静止画データを抽出する。例えば、上述したように、システム制御部１５は、管理端末２から送信される動画像データを受信すると、当該動画像データを表示部１２に表示するようになっている。そしてオペレータは、表示部１２に表示される動画像データを継続的に目視し、当該動画像データの中から、一頭の出走馬について、サンプル画像の馬体姿勢として抽出を望むフレーム（場面）を探す。上記表示部１２には、出走馬がパドック内を移動している様子が、継続的に表示されている。従って、当該表示部１２に表示される出走馬は、時間の経過と共に異なる向きを示している。従って、サンプル画像として抽出を望むフレームとは、例えば、表示部１２に表示される出走馬が、出走馬の全身の毛艶、筋肉のつき方又は各部位の筋肉のつき方等が把握できる向きになったフレームを想定することができる。そして、オペレータは、サンプル画像として抽出を望むフレームが見つかった場合には、例えば操作部１３の操作（例えば、キーボードによる命令の入力）により、サンプル画像の抽出開始を示す命令をシステム制御部１５へ入力する。これにより、システム制御部１５は、一頭の馬のサンプル画像の馬体姿勢の入力を受け付ける。
【００３６】
システム制御部１５は、サンプル画像の抽出開始の入力を受け付けると、かかる入力に基づいて上記動画像データからサンプル画像に近似する静止画データを抽出する（つまり、上記受け付けられたサンプル画像の馬体姿勢に基づいて動画像データから出走馬の静止画データを抽出する）ようになっている。さらに、オペレータは、サンプル画像として抽出を望むフレームを探し、他の当該静止画データとして抽出を望むフレームが見つかった場合には、上記と同様の操作により、システム制御部１５の動作のもと、上記動画像データから、サンプル画像に近似する静止画データを抽出することができる。このようにして、システム制御部１５は、上記取得された動画像データから複数の出走馬についてサンプル画像に近似する静止画データを抽出するようになっている。システム制御部１５は、一頭の出走馬について、複数のサンプル画像の抽出が終了すると、そのサンプル画像を利用して、他の出走場の静止画データを抽出する。抽出する準備は馬番順である必要はない。静止画データが馬番に対応つけられていればよい。このようにして抽出された静止画データは、出走馬の全身の毛艶、筋肉のつき方又は各部位の筋肉のつき方等を一見して即座に把握するようなフレームとして抽出される。従って、静止画データを表示する表示画面を閲覧するユーザは、出走馬の全身の状態を、一見して即座に把握することができる。
【００３７】
なお、システム制御部１５は、サンプル画像の抽出開始の入力を受け付けた後、一定期間経過毎にサンプル画像を抽出するようにしてもよい。つまり、システム制御部１５は、サンプル画像の馬体姿勢の入力を受け付けた後、一定期間経過毎にサンプル画像の馬体姿勢に近似する第２のサンプル画像の馬体姿勢を抽出するように構成してもよい。この場合、システム制御部１５は、まず、最初にサンプル画像の抽出開始の入力を受け付けると、かかる入力に基づいて上記動画像データからサンプル画像に近似する静止画データを抽出する。そして、システム制御部１５は、静止画データの抽出開始の入力に拘わらず（次の静止画データの抽出開始の入力を受け付けなくても）、一定期間経過後に、上記動画像データから静止画データを、所定の数量分抽出するようになっている。換言すれば、システム制御部１５は、最初にサンプル画像の抽出開始の入力を受け付けると、かかる入力に基づいて上記動画像データからサンプル画像を抽出した後は、自動的に、所定の数量分、上記動画像データからサンプル画像を抽出するようになっている。従って、オペレータは、最初にサンプル画像の抽出開始の入力をするだけで、システム制御部１５に、上記動画像データから複数のサンプル画像を抽出させることができる。よって、システム制御部１５は、オペレータの簡便な操作に基づいて、上記動画像データから複数のサンプル画像及び静止画データを抽出することができる。なお、上述したシステム制御部１５が自動的に上記動画像データから静止画データを抽出する間隔（上記一定期間）及び、当該静止画データを抽出する数量（上記所定の数量）は、任意に設定することができる。
【００３８】
そして、システム制御部１５は、上記静止画データを取得して表示するためのリンクが設定された出走馬情報をユーザ端末３−ｋに表示するＷｅｂページにおいて、当該静止画データの取得がユーザ端末３−ｋで選択操作（例えば、静止画データに対応付けられた馬名等の情報の選択操作）された場合に、選択された情報に対応付けられた静止画データを表示するＷｅｂページデータを生成し、生成したＷｅｂページデータをユーザ端末３−ｋへ配信する。また、システム制御部１５は、直近に抽出された静止画データ及び過去に抽出された静止画データを取得して表示するためのリンクが設定された出走馬情報をユーザ端末３−ｋに表示するＷｅｂページにおいて、一頭の馬の静止画データの取得が選択操作された場合に、当該馬についてサンプル画像の馬体姿勢に近似する直近の静止画データ及び同じサンプル画像の馬体姿勢に近似する過去の静止画データを併せて表示するＷｅｂページデータを生成し、生成したＷｅｂページデータをユーザ端末３−ｋへ配信するように構成してもよい。更に、システム制御部１５は、所定のレースに出走する複数の出走馬の静止画データを取得して表示するためのリンクが設定された出走馬情報をユーザ端末３−ｋに表示するＷｅｂページにおいて、当該所定のレースに出走する複数の出走馬から２以上の馬の静止画データの取得が選択操作された場合に、当該２以上の馬についてサンプル画像の馬体姿勢に近似する直近の複数の静止画データを併せて表示するＷｅｂページデータを生成し、生成したＷｅｂページデータをユーザ端末３−ｋへ配信するように構成してもよい。
【００３９】
次に、管理端末２の構成及び機能について、図５を用いて説明する。図５は、管理端末２の概要構成例を示すブロック図である。図５に示すように、管理端末２は、操作部２１と、表示部２２と、インターフェース部２３と、通信部２４と、記憶部２５と、入出力インターフェース部２６と、システム制御部２７と、を備えている。そして、システム制御部２７と入出力インターフェース部２６とは、システムバス２８を介して接続されている。操作部２１は、例えば、キーボード及びマウス等を備える。表示部２２は、Ｗｅｂページ等を表示するためのディスプレイを備える。インターフェース部２３は、カメラ２Ａによって撮像された画像を、制御部２７へ出力するためのインターフェースである。通信部２４は、ネットワークＮＷに接続して情報提供サーバ１等との通信状態を制御する。記憶部２５は、例えば、ハードディスクドライブ等により構成されており、オペレーティングシステム及び情報提供プログラム等の各種プログラムを記憶する。
【００４０】
次に、システム制御部２７は、ＣＰＵ２７ａ，ＲＯＭ２７ｂ，及びＲＡＭ２７ｃ等を備える。また、システム制御部２７は、前記入力データに基いて画像処理を行い、動画像を示す動画像データを生成する。そして、さらに、システム制御部２７は、当該生成された動画像データを、通信部２４を介して、情報提供サーバ１へ配信する。
【００４１】
なお、システム制御部２７が、例えば、オペレータからの指示に従って、上記取得された動画像データから複数の出走馬のサンプル画像及び静止画データを抽出するようにしてもよい。この場合、システム制御部２７は、当該抽出された複数の出走馬のサンプル画像及び静止画データを、通信部２４を介して、情報提供サーバ１へ送信することもできる。この場合、システム制御部２７は、上述した表示装置、サンプル画像取得装置、及び抽出装置の一例として機能することとなる。
【００４２】
次に、利用端末２−１〜２−３及びユーザ端末３−ｋの構成及び機能について、図６を用いて説明する。図６は、例えば、ユーザ端末３−ｋの概要構成例を示すブロック図である。図６に示すように、ユーザ端末３−ｋは、操作部３１と、表示部３２と、通信部３３と、ドライブ部３４と、記憶部３５と、入出力インターフェース部３６と、システム制御部３７と、を備えている。そして、システム制御部３７と入出力インターフェース部３６とは、システムバス３８を介して接続されている。ユーザ端末３−ｋとしては、例えば、パーソナルコンピュータ、ＰＤＡ（Personal Digital Assistant）、又は携帯電話機等を適用できる。操作部３１は、例えば、キーボード及びマウス等を備える。表示部３２は、Ｗｅｂページ等を表示するためのディスプレイを備える。通信部３３は、ネットワークＮＷに接続して情報提供サーバ１等との通信状態を制御する。ドライブ部３４は、例えば、ＣＤ（Compact Disc）、ＤＶＤ（Digital Versatile Disc）等のディスクＤＫ（記録媒体）からデータ等を読み出す一方、当該ディスクＤＫに対してデータ等を記録する。記憶部３５は、例えば、ハードディスクドライブ等からなり、オペレーティングシステム（Ｏ／Ｓ），Ｗｅｂブラウザプログラム等を記憶する。システム制御部３７は、ＣＰＵ３７ａ，ＲＯＭ３７ｂ，及びＲＡＭ３７ｃ等を備える。そして、システム制御部３７は、オペレーティングシステム実行下でＷｅｂブラウザプログラムを実行することにより、Ｗｅｂブラウザに、上述した出馬表が表示される。
【００４３】
次に、本実施形態におけるユーザ端末３−ｋのリクエストに応じた情報提供システムの動作について、図７を用いて説明する。なお、利用端末２−１〜２−３における動作も実質的には同じである。図７は、本実施形態におけるユーザ端末３−ｋのリクエストに応じた情報提供システムの動作を示すシーケンス図である。図７に示すように、ユーザ端末３−ｋにおいて、Ｗｅｂブラウザが起動し、システム制御部３７から情報提供サーバ１にＨＴＴＰリクエストが送信されると（ステップＳ１）、システム制御部１５は、かかるリクエストに応じて、出馬表を構成するＷｅｂページデータを生成し（ステップＳ２）、当該Ｗｅｂページデータを、ユーザ端末３−ｋへ配信する（ステップＳ３）。ユーザ端末３−ｋのシステム制御部３７は、取得した出馬表を構成するＷｅｂページを表示部３２のディスプレイ上に表れたウインドウ画面内に、出馬表として表示する（ステップＳ４）。
【００４４】
ここで、表示部３２のディスプレイ上に表れる出馬表について、図８を用いて説明する。図８は、表示部３２のディスプレイ上に表れる出馬表を示す図である。
【００４５】
図８に示すように、出馬表５０には、レースが開催される日時及び競馬場等を示す情報５１と、レースに出走する出走馬の枠番、馬番、馬名、性齢、毛色、馬体重、騎手名、馬主等が表示されている。更に、馬名として、○○テイオー５２、△△スター５３、及び××タイガー５４が表示されている。なお、ユーザが、出馬表５０に表示される「投票タブ」を選択（例えば、ユーザがマウスでクリック）すると、競馬の投票券（馬券）を購入（所謂、インターネット投票）することができる。ここでは、出馬表５０は、ユーザがかかる投票券を購入するに際して参考にする情報を提供するものである。また、○○テイオー５２、△△スター５３、及び××タイガー５４には、夫々に対応する静止画データを取得し、表示するためのリンクが設定されている。かかるリンクが設定されていることを示す表示の一例として、○○テイオー５２、△△スター５３、及び××タイガー５４には、下線部が表示されている。なお、リンクが設定されていることを示す表示は、これに限定されるものではなく、例えば馬名を太線による強調表示、又は点滅表示により表示させるようにしてもよい。そして、ユーザ端末３−ｋの操作部３１によって、○○テイオー５２の静止画データの取得が選択操作（例えば、操作部３１のマウスにより、○○テイオー５２をクリック）された場合には、システム制御部１５は、○○テイオー５２に対応付けられた例えば複数の静止画データを表示するＷｅｂページデータを生成（単に、取得でもよい）してこれをユーザ端末３−ｋへ配信する。同様に、システム制御部１５は、△△スター５３の静止画データの取得が選択操作された場合には、△△スター５３に対応付けられた例えば複数の静止画データを表示するＷｅｂページデータを、××タイガー５４の静止画データの取得が選択操作された場合には××タイガー５４に対応付けられた例えば複数の静止画データを表示するＷｅｂページデータを、それぞれ生成してユーザ端末３−ｋへ配信する。
【００４６】
図７の説明に戻り、ユーザ端末３−ｋの操作部３１によって、例えば一頭の馬（例えば○○テイオー５２）の静止画データの取得が選択操作（○○テイオー５２をクリック）された場合には（ステップＳ５：ＹＥＳ）、システム制御部３７は、情報提供サーバ１にＨＴＴＰリクエストを送信する（ステップＳ６）。かかるＨＴＴＰリクエストは、当該馬の出走馬情報に対応付けられた静止画データを表示するＷｅｂページデータを、ユーザ端末３−ｋへ配信する旨の要求である。かかるＨＴＴＰリクエストを受信したシステム制御部１５は、当該馬の出走馬情報に対応付けられた例えば複数の静止画データを表示するＷｅｂページデータを取得し（ステップＳ７）、ユーザ端末３−ｋへ配信する（ステップＳ８）。そして、ユーザ端末３−ｋのシステム制御部３７は、当該馬の出走馬情報に対応付けられた例えば複数の静止画データを表示するＷｅｂページを表示部３２のディスプレイ上に表れたウインドウ画面内に表示する（ステップＳ９）。
【００４７】
図９は、取得した○○テイオー５２に対応付けられた複数の静止画データを表示するＷｅｂページが、表示部３２のディスプレイ上に表れたウインドウ画面内に表示された画面例を示す図である。図９に示すように、ウインドウ画面内６０には、○○テイオー５２に対応付けられた複数の静止画データを表示するＷｅｂページとして、３つの静止画６１〜６３が表示されている。３つの静止画６１〜６３は、上記取得された動画像データから抽出した複数の静止画データがＷｅｂページとして表示されたものである。なお、本実施形態においては、馬名に対応付けられた複数の静止画データとして、３つの静止画像をＷｅｂページに表示するようにしたがこれに限定されず、かかる静止画像の数量は任意に設定することが可能である。
【００４８】
上述したように、本実施形態における静止画６１〜６３は、かかるオペレータが、○○テイオー５２の全身が表示されるように指定（指示）し、システム制御部１５によって、抽出された画像である。従って、静止画６１〜６３を閲覧するユーザは、出走馬たる○○テイオー５２の全身の状態を、一見して即座に把握することができる。また、上記実施形態においては、ユーザ端末３−ｋのシステム制御部３７は、○○テイオー５２に対応付けられた複数の静止画データを表示するＷｅｂページを表示部３２のディスプレイ上に表れたウインドウ画面内に表示するように構成したが、当該複数の静止画データを出走馬表と同一のＷｅｂページに表示（出走馬表に嵌め込む）するようにしてもよい。
【００４９】
また、上記実施形態においては、直近に抽出された複数の静止画データ（レース前にパドック内を移動する出走馬の複数の静止画データ）を表示するＷｅｂページがウインドウ画面内に表示画面として表示するように構成した。別の例として、一頭の馬の静止画データの取得が選択操作された場合に、当該馬についてサンプル画像の馬体姿勢に近似する直近の静止画データ及び同じサンプル画像の馬体姿勢に近似する過去の（例えば過去に抽出された）静止画データ（既に終了したレース前にパドック内を移動していた出走馬の静止画データ）を併せて表示するＷｅｂページが、ウインドウ画面内に表示画面として表示されるようにしてもよい。この場合、静止画ＤＢ１４２には、過去に抽出された複数の静止画データが記憶されており、出走馬情報ＤＢ１４３には、過去に抽出された複数の静止画データが、馬名等の出走馬情報に対応付けられ、所定のファイル名を付して記憶されている。そして、上記ＨＴＭＬ文章中には、上記直近に抽出された静止画データ及び上記過去に抽出された静止画データを取得し表示するためのリンクが設定されている。
【００５０】
そして、ユーザ端末３−ｋの操作部３１によって、かかるリンクが選択操作（つまり、馬の静止画データの取得が選択操作された場合に）された場合には、システム制御部１５は、上記直近に抽出された例えば複数の静止画データ及び上記過去に抽出された例えば複数の静止画データを表示するＷｅｂページデータを生成して、これをユーザ端末３−ｋへ配信する。そして、ユーザ端末３−ｋのシステム制御部３７は、受信した上記Ｗｅｂページを表示部３２のディスプレイ上に表れたウインドウ画面内に表示する。ここで、上記直近に抽出された複数の静止画データ及び上記過去に抽出された複数の静止画データを表示するＷｅｂページデータを取得し表示部３２のディスプレイ上に表れたウインドウ画面内に表示される画面例について、図１０を用いて説明する。
【００５１】
図１０は、上記直近に抽出された複数の静止画データ（例えば、出走前のパドックで撮像された動画像データから抽出された静止画データ）及び上記過去に抽出された複数の静止画データを表示するＷｅｂページデータを取得し表示部３２のディスプレイ上に表れたウインドウ画面内に表示された画面例を示す図である。図１０に示すように、ウインドウ画面内７０には、○○テイオー５２に対応付けられた過去に抽出された複数の静止画データを表示するＷｅｂページとして静止画７１及び７２、及び○○テイオー５２に対応付けられた直近に抽出された複数の静止画データを表示するＷｅｂページとして静止画７３が表示されている。
【００５２】
静止画７１は、前々回レース前にパドック内を移動する○○テイオー５２の複数の静止画データが、静止画７２及び静止画７３は、前回レース前にパドック内を移動する○○テイオー５２の複数の静止画データが、それぞれ表されたものである。それぞれの静止画は、レースごとに、サンプル画像Ｓ１〜ＳＮに近似する馬体姿勢で記憶されている。例えば、静止画７１の３つの静止画を例にすると、1つ目の静止画はサンプル画像Ｓ１に近似する馬体姿勢を表示し、２つ目の静止画はサンプル画像Ｓ２に近似する馬体姿勢を表示し、３つ目の静止画はサンプル画像Ｓ３に近似する馬体姿勢を表示する。さらに、他の静止画７２及び静止画７３の３つの静止画においても、1つ目の静止画はサンプル画像Ｓ１に近似する馬体姿勢を表示し、２つ目の静止画はサンプル画像Ｓ２に近似する馬体姿勢を表示し、３つ目の静止画はサンプル画像Ｓ３に近似する馬体姿勢を表示する。サンプル画像に近似する静止画を取得し、それぞれの静止画を同列に配列することにより、さらに、現在から過去に向って表示したり、過去から現在に向って表示したりすることで、出走馬の変化を時間の流れにそって、同じ馬体姿勢で判断することができる。
【００５３】
上記実施形態においては、一頭の馬名に対応付けられた複数の静止画データを表示するＷｅｂページをウインドウ画面内に表示するように構成したが、複数の馬名を選択可能とするユーザインターフェースを表示する出馬表であって、複数の馬名が選択された場合に、当該選択されたそれぞれの馬名に対応付けられた複数の静止画データを表示するＷｅｂページを表示するようにしてもよい。この場合、所定のレースに出走する複数の出走馬の静止画データを取得して表示するためのリンクが設定された出走馬情報をユーザ端末３−ｋに表示するＷｅｂページにおいて、ユーザ端末３−ｋの操作部３１によって、当該複数の出走馬から２以上の馬の静止画データの取得が選択操作された場合に、システム制御部１５は、当該２以上の馬についてサンプル画像の馬体姿勢に近似する直近の複数の静止画データを併せて表示するＷｅｂページデータを生成し、これをユーザ端末３−ｋへ配信する。例えば上記Ｗｅｂページには、複数の馬名を選択するために、馬名に対応するチェックボックス及びボタン（上記複数の馬名を選択可能とするユーザインターフェースの一例）が設けられている。そして、ユーザ端末３−ｋの操作部３１によって、上記チェックボックスにより馬名が選択され、ボタンが押下されると、システム制御部１５は、選択された複数の馬名に対応付けられた複数の静止画データを表示するＷｅｂページデータを生成して、これをユーザ端末３−ｋへ配信する。そして、ユーザ端末３−ｋのシステム制御部３７は、受信した上記Ｗｅｂページを表示部３２のディスプレイ上に表れたウインドウ画面内に表示する。
【００５４】
ここで、複数の馬名を選択し、複数の前記馬名が選択された場合に、当該選択されたそれぞれの馬名に対応付けられた前記複数の静止画データを表示するＷｅｂページが表示される一例を、図１１及び図１２を用いて説明する。図１１は、複数の馬名を選択可能とするチェックボックスとボタンを表示する出馬表が表示された画面例である。図１１に示すように、ウインドウ画面内８０には、ボタン８１と、馬名に対応するチェックボックス８２〜８４が表示されている。
【００５５】
チェックボックス８２は○○テイオーに、チェックボックス８３は△△スターに、チェックボックス８４は××タイガーに、それぞれ対応している。図１２は、選択されたそれぞれの馬名に対応付けられた前記複数の静止画データを表示するＷｅｂページが表示された画面例を示す図である。図１１において、ユーザ端末３−ｋの操作部３１によって、チェックボックス８２〜８４が選択され、ボタン８１が押下されると、選択されたそれぞれの馬名に対応付けられた前記複数の静止画データを表示するＷｅｂページが、表示部３２のディスプレイ上に表れたウインドウ画面内に表示される。
【００５６】
図１２に示すように、ウインドウ画面内９０には、チェックボックス８２によって選択された○○テイオーに対応付けられた複数の静止画データを表示するＷｅｂページとして静止画９１が、チェックボックス８３によって選択された△△スターに対応付けられた複数の静止画データを表示するＷｅｂページとして静止画９２が、チェックボックス８３によって選択された××タイガーに対応付けられた複数の静止画データを表示するＷｅｂページとして静止画９３が、それぞれ表示されている。上記構成によって、静止画９１〜９３を閲覧するユーザは、迅速に複数の出走馬の全身の状態を、一見して即座に把握することができる。
【００５７】
以上説明したように、上記実施形態によれば、システム制御部１５は、競馬場において、レース前にパドック内を移動している出走馬が撮像された動画像データを取得し、前記取得された動画像データから前記出走馬の複数の静止画データを抽出し、馬名に対応付けて、前記抽出された、当該出走馬の複数の静止画データを抽出して記憶し、ユーザ端末３−ｋが前記静止画データを取得し表示するためのリンクが設定された前記馬名を表示する出馬表であって、前記馬名が選択操作された場合に当該馬名に対応付けられた前記複数の静止画データを表示するＷｅｂページデータを生成し、ユーザ端末３−ｋへ配信するため、静止画データを表示する表示画面を閲覧するユーザは、出走馬の全身の状態を、一見して即座に把握することができる。さらに、かかるユーザは、上記静止画データを参考に、ユーザ端末３−ｋを用いて投票券を購入することができるため、迅速に、購入する投票券の種類を決定することができる。さらに、かかるユーザは、購入締め切り時間が迫った場合においても、出走馬の全身の状態を考慮して当該投票券を購入することができる。
【００５８】
また、システム制御部１５は、直近に抽出された静止画データに対応付けられた馬名と、当該直近に抽出された複数の静止画データに対応付けられた馬名の過去に抽出された静止画データとを記憶し、前記直近に抽出された複数の静止画データ及び前記過去に抽出された複数の静止画データを取得し表示するためのリンクが設定された前記馬名を表示する出馬表であって、前記馬名が選択操作された場合に当該馬名に対応付けられた複数の静止画データ及び前記過去に抽出された複数の静止画データを表示するＷｅｂページデータを生成し、ユーザ端末３−ｋへ配信するため、一頭の出走場に着目して現在及び過去の出走馬の状態を対比しながら把握しつつ、迅速に出走馬の状態を確認することができる。
【００５９】
また、システム制御部１５は、複数の馬名を選択可能とするチェックボックス及びボタンを表示する出馬表であって、複数の前記馬名が選択された場合に、当該選択されたそれぞれの馬名に対応付けられた前記複数の静止画データを表示するＷｅｂページを表示するため、静止画を閲覧するユーザは、迅速に複数の出走馬の全身の状態を、一見して即座に把握することができる。
【００６０】
また、システム制御部１５は、静止画データの抽出開始の入力を受け付けると、かかる入力に基づいて上記動画像データから静止画データを抽出するため、静止画データを表示する表示画面を閲覧するユーザに、出走馬の全身の状態を、一見して対比しながら即座に把握させる静止画を提供することができる。
【００６１】
また、システム制御部１５は、静止画データの抽出開始の入力を受け付けた後、一定期間経過毎に静止画データを抽出するため、システム制御部１５は、オペレータの簡便な操作に基づいて、上記動画像データから複数の静止画データを抽出することができる。
【符号の説明】
【００６２】
１                  情報提供サーバ
２                  管理端末
２Ａ                カメラ
２−１〜２−３     利用端末
３−ｋ              ユーザ端末
１１、２４、３３    通信部
１２、２２、３２    表示部
１３、２１、３１    操作部
１４、２５、３５    記憶部
１５、２７、３７    システム制御部
１６、２８、３８    システムバス
１７、２６、３６    入出力インターフェース部
２３                インターフェース部
３４                ドライブ部
ＮＷ                ネットワーク  
Ｕ                  パドック
Ｖ                  出走馬
【図１】
2011065563.tif 000003
【図２】
2011065563.tif 000004
【図３】
2011065563.tif 000005
【図４】
2011065563.tif 000006
【図５】
2011065563.tif 000007
【図６】
2011065563.tif 000008
【図７】
2011065563.tif 000009
【図８】
2011065563.tif 000010
【図９】
2011065563.tif 000011
【図１０】
2011065563.tif 000012
【図１１】
2011065563.tif 000013
【図１２】
2011065563.tif 000014
【手続補正書】
【提出日】平成23年6月23日(2011.6.23)
【手続補正１】
【補正対象書類名】特許請求の範囲
【補正対象項目名】請求項６
【補正方法】変更
【補正の内容】
【請求項６】
撮像された動画像データから出走馬の馬体の静止画データを抽出する馬体の静止画データの抽出方法であって、
コンピュータが、前記動画像データから、サンプル画像の馬体姿勢に近似する前記出走馬の馬体を静止画データとして抽出する静止画データ抽出ステップと、
前記コンピュータが、前記出走馬に関する出走馬情報に対応付けて、前記出走馬の前記静止画データを記憶する静止画データ記憶ステップと、
前記コンピュータが、前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、
前記コンピュータが、前記生成されたＷｅｂページデータを前記端末装置へ配信する配信ステップと、
を有することを特徴とする馬体の静止画データの抽出方法。
【手続補正２】
【補正対象書類名】特許請求の範囲
【補正対象項目名】請求項８
【補正方法】変更
【補正の内容】
【請求項８】
撮像された動画像データから出走馬の馬体の静止画データを抽出するコンピュータに、
前記動画像データから、サンプル画像の馬体姿勢に近似する前記出走馬の馬体を静止画データとして抽出する静止画データ抽出ステップと、
前記出走馬に関する出走馬情報に対応付けて、前記出走馬の前記静止画データを記憶する静止画データ記憶ステップと、
前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、
前記生成されたＷｅｂページデータを前記端末装置へ配信する配信ステップと、
を実行させることを特徴とする馬体の静止画データの抽出プログラムを記録したコンピュータ読み取り可能な記録媒体。
【手続補正３】
【補正対象書類名】明細書
【補正対象項目名】００１８
【補正方法】変更
【補正の内容】
【００１８】
請求項６に記載の発明は、撮像された動画像データから出走馬の馬体の静止画データを抽出する馬体の静止画データの抽出方法であって、コンピュータが、前記動画像データから、サンプル画像の馬体姿勢に近似する前記出走馬の馬体を静止画データとして抽出する静止画データ抽出ステップと、前記コンピュータが、前記出走馬に関する出走馬情報に対応付けて、前記出走馬の前記静止画データを記憶する静止画データ記憶ステップと、前記コンピュータが、前記静止画データを取得して表示するためのリンクが設定された出走馬情報を端末装置に表示するＷｅｂページにおいて、前記静止画データの取得が前記端末装置で選択操作された場合に、当該出走馬情報に対応付けられた前記静止画データを表示するＷｅｂページデータを生成する生成ステップと、前記コンピュータが、前記生成されたＷｅｂページデータを前記端末装置へ配信する配信ステップと、を有することを特徴とする。
【国際調査報告】
2011065563.tif 000015
2011065563.tif 000016
2011065563.tif 000017
2011065563.tif 000018